(57)【要約】【課題】  解錠時で引戸が開いているときには施、解錠を外側に振り出すことができないようにした外召し合せ錠を提供する。【解決手段】  室外側の召し合せ框に装着された外フレーム２内において上下方向に延在し、同方向に移動可能に案内されると共に、シリンダ錠によって上下方向に駆動されるラック板５の上端に切欠３４を形成し、この切欠３４の近傍に、水平な支持軸３９により上端部を揺動可能に支承され、時計方向に付勢されたトリガー３６を設け、このトリガー３６に内蔵された第１永久磁石を、引戸閉鎖時上記第１永久磁石と整合する内召し合せ錠のフロント板１７の裏面側に装着された第２永久磁石４１により制御し、ストッパー３５を切欠３４に係脱させる。【選択図】  図１０
2007239204.tif 000002
【特許請求の範囲】
【請求項１】
室外側の召し合せ框に装着された外フレームと、この外フレーム内において上下方向に延在し、上下方向に移動可能に案内されたラック板と、このラック板と噛み合うピニオンを内筒に装着したシリンダ錠と、外フレーム内において、基端を水平なアーム軸によって回動可能に支承され、施、解錠に対応して選択的に外側に振り出される施、解錠アームと、シリンダ錠の合鍵の操作により上下方向に移動するラック板に連係され、上記施、解錠アームを選択的に外側に振り出すアーム駆動機構とを有するものにおいて、上記ラック板の一端部における側端縁に上下方向に延在する切欠と、この切欠内に係入する作動位置及び切欠外の待機位置との間を移動可能に案内されたストッパーと、相互に召し合せとなる框が重合したときストッパーを待機位置に移動させるトリガーとを備えたトリガー装置を設けたことを特徴とする外召し合せ錠。
【請求項２】
上記トリガーが、外フレームのストライク板を貫通してストライク板に垂直な前後方向に移動可能に案内され、内端部にストッパーを形成すると共に外方である前方に付勢され、また、前端を水平投影が山形になるように成形されたトリガー杆であることを特徴とする請求項１に記載の外召し合せ錠。
【請求項３】
上記トリガーが、一端を外フレーム内に揺動可能に支承されると共に他端部にストッパー及び永久磁石を備えたレバー体であり、相互に召し合せとなる框が重合したとき内召し合せ錠に装着した同磁極の永久磁石で反発することを特徴とする請求項１に記載の外召し合せ錠。
【請求項４】
上記トリガーが、一端を外フレーム内において前後方向に移動可能に案内されると共に前方に付勢され、また、ストッパー及び永久磁石を備えた移動体であり、相互に召し合せとなる框が重合したとき内召し合せ錠に装着した同磁極の永久磁石で反発することを特徴とする請求項１に記載の外召し合せ錠。
【発明の詳細な説明】
【技術分野】
【０００１】
この発明は、引き違いとなる召し合せ框の室外側の框に装着される外召し合せ錠に係り、特に、室外側からの不用意な操作により施、解錠アームが外側に振り出ないようにし、以て、施、解錠アームと他の框との衝突に起因する騒音や部材の破損等を防止するようにした外召し合せ錠に関する。
【背景技術】
【０００２】
引戸錠は、通常、引き違いとなる召し合せ框の室外側の框に装着される外召し合せ錠と、室内側に装着される内召し合せ錠とを有してなり、下記特許文献１〜４に記載されているように、外召し合せ錠に設けられたシリンダ錠を合鍵により施錠、或いは解錠方向に回動させることにより、内召し合せ錠側からカマを外召し合せ錠のストライクに係脱させる構造である。
【特許文献１】特開平１０−０７７７５６号公報
【特許文献２】特開平１０−１０２８５２号公報
【特許文献３】特開平１１−００６３４０号公報
【特許文献４】特開２０００−１６６７２１公報
【発明の開示】
【発明が解決しようとする課題】
【０００３】
上記した引戸錠の内内召し合せ錠は、室内側からカマを操作できる構造であり、解錠時で引戸が開いているときにもカマを外側に振り出すことができるので、この状態で引戸を締めると、このカマが外側の召し合せ框に激突し、不快な騒音が発生するばかりでなく、衝突した部材の一方及び／又は他方が損傷を受ける場合がある。
【０００４】
そこで、従来、内召し合せ錠にはトリガー装置が装着され、召し合せ框が重合した場合にのみカマを外側に振出すことができる機構になっている。
【０００５】
つまり、合鍵を操作する家人は合鍵をシリンダ錠に差込んだまま引戸を開けることはないだろうとの思い込みから外召し合せ錠には通常トリガー装置が設けられていない。
【０００６】
しかし、所謂フール・プルーフの考えに従えば、誤操作に対応して外召し合せ錠にもトリガー装置を設けなければならない。
【０００７】
そこで、この発明は、解錠時で引戸が開いているときには施、解錠アームを外側に振り出すことができないようにした外召し合せ錠を提供し、以て上記した不都合を解消することを目的としている。
【課題を解決するための手段】
【０００８】
上記の目的を達成するため、請求項１に記載の発明は、室外側の召し合せ框に装着された外フレームと、この外フレーム内において上下方向に延在し、上下方向に移動可能に案内されたラック板と、このラック板と噛み合うピニオンを内筒に装着したシリンダ錠と、外フレーム内において、基端を水平なアーム軸によって回動可能に支承され、施、解錠に対応して選択的に外側に振り出される施、解錠アームと、シリンダ錠の合鍵の操作により上下方向に移動するラック板に連係され、上記施、解錠アームを選択的に外側に振り出すアーム駆動機構とを有するものにおいて、上記ラック板の一端部における側端縁に上下方向に延在する切欠と、この切欠内に係入する作動位置及び切欠外の待機位置との間を移動可能に案内されたストッパーと、相互に召し合せとなる框が重合したときストッパーを待機位置に移動させるトリガーとを備えたトリガー装置を設けたことを特徴とする。
【発明の効果】
【０００９】
上記のように構成されたこの発明による外召し合せ錠は、解錠時で引戸が開いているときにはトリガー装置が作動してストッパーが作動位置である切欠内に係入しているので、合鍵を回してもラック板がストッパーに引っ掛かって施、解錠アームを外に振り出すことが防止され、したがって施、解錠アームが外に振り出されたことによる他の框との衝突を完全に防止できる、という所期の効果を奏する。
【発明を実施するための最良の形態】
【００１０】
外召し合せ錠にトリガー装置を設け、解錠時で引戸が開いているときには施、解錠アームを外に振り出すことができないようにしたので、アームと他の框との衝突を完全に防止できた。
【実施例１】
【００１１】
以下、請求項２に記載の発明の一実施例を図面を参照して説明する。
なお、後に明らかになるように、この発明は、合鍵の操作により上下するラック板を有する外召し合せ錠の構造如何によらず成り立つものであり、前記した特許文献１乃至４に記載された外召し合せ錠の何れにも採用できる。
【００１２】
しかしながら、図示の実施例は新しい構造の外召し合せ錠となっているので、以下に簡単に外召し合せ錠そのものについて説明する。
【００１３】
図１及び図２に示すように、全体を符号１で示す外召し合せ錠は、外ケースとなる外フレーム２を備え、この外フレーム２は図示しない召し合せ框の内室外側の框に装着されている。
【００１４】
上記外フレーム２の上方には、鍵孔を室外側に向けたシリンダ錠３が装着されており、このシリンダ錠３の内筒には、図３に示すようにピニオン４が装着されている。
【００１５】
このピニオン４は、また、ラック板５と噛み合っている。このラック板５は、図３及び図４に示すように、外フレーム２の側板内面に沿って上下方向に延在し、下方に後述するアーム駆動機構１１を一体に連結している。
【００１６】
そして、シリンダ錠に合鍵を挿入し、合鍵を挿入角度位置から時計方向に所定の角度回動させることによりラック板５を押し下げ、解錠アーム６（図２及び図５参照）を図２で時計方向に回動させ、後述の内フレーム内の係合片７（図６及び図７参照）を押上げて解錠する。
【００１７】
一方、合鍵を反時計方向に回動させると、ラック板５が上昇し、施錠アーム８を反時計方向に回動させ、上記係合片７を押し下げて施錠する。
【００１８】
上記した施、解錠アーム８、６は、図２及び図５に示すように、全体の形状が略く字形の厚板レバー体であり、外フレーム２内において、夫々基端を水平なアーム軸９によって相互に独立に回動可能に支承されており、図示しない捩りコイルばねの弾力により、外フレーム２内に引込む方向に付勢されている。
【００１９】
上記施、解錠アーム８、６のアーム駆動機構１１は、図２及び図５に示すように、上記ラック板５の下方に一体に結合された水平断面コ字形の枠体である。
【００２０】
そして、その両袖部の図５で手前側の袖部には、逃げ溝１２付の押し下げ段部１３が、向う側の袖部には逃げ溝１２付の押上げ段部１４が夫々形成され、夫々解錠アーム６の基端に植設された係合ピン１５、及び図示しない施錠アーム８（図２参照）の係合ピンに係合、或いは係合可能に臨んでいる。
【００２１】
そして、前記したように、合鍵をシリンダ錠の鍵孔に差込んで所定の方向に回し、ラック板を下降させることにより施錠アーム８を図で反時計方向に回動させ、前記係合片７を押し下げて施錠する。
【００２２】
なお、図示の実施例におけるシリンダ錠は、合鍵を鍵孔に差込んで施、解錠操作に対応して所定の方向に所定の角度回し、更に同じ角度回し戻して合鍵挿入角度位置で合鍵を抜くように操作する。
【００２３】
また、ラック板５を上昇させることにより、解錠アーム６を時計方向に振り出させて前記係合片７を押上げて解錠する。なお、何れの場合でもアーム駆動機構１１と係合していない方のアームは、その付勢力によって外フレーム内に引込んでいる。
【００２４】
次に、上記した構成の外召し合せ錠と組になって引戸錠を構成する内召し合せ錠は次に説明するように構成されている。
【００２５】
すなわち、図６及び図７において符号１６は内フレームを示し、この内フレーム１６は、図示しない室内側の内召し合せ框に装着され、一面（図７で右側の面）が開いた浅い縦長の箱状体で、外側をその一面の開口を覆うように、フロント板１７が装着されている。
【００２６】
また、上記内フレーム内の下方には、支軸１８により、先端部（外端部）を鈎形に成形したカマが回動自在に支承されている。
【００２７】
更にまた、内フレーム１６内に、上下方向に延在し、同方向に移動可能に案内された駆動板２１が配設されている。
【００２８】
この駆動板２１は、板材を、フロント板１７に開口した操作窓２２の約半分より下方の部分を断面コ字形に折曲した部材で、そのフロント板１７に平行な部分の上方に矩形の連結穴２３が開口している。
【００２９】
一方、図７に示すように、内フレーム１６は、これを貫通する取付ねじ２４、２４により、室内側の支持ブロック２５を呼び付ける態様で内召し合せ框に装着されている。
【００３０】
そして、この支持ブロック２５の室内側に上下方向に移動可能に案内された操作部材２６が設けられており、この操作部材２６は、横断面形状が矩形の連結杆２７と上記連結穴２３との係合を介して、駆動板２１に連結されている。
【００３１】
他方、駆動板２１の図７２における手前側の袖板２１ａの上端縁が内側に折り曲げられ、操作窓２２内に臨む前記水平な係合片７が形成されている。
【００３２】
また、駆動板の下端部には、これを紙面方向に貫通するようにして、駆動ピン２８が装着されており、この駆動ピン２８は、前記カマ１９の内端部に形成された断面がダルマ形の係合孔２９に遊嵌している。
【００３３】
上記した構成により、駆動板２１は駆動ピン２８を介してカマ１９に連係されることになり、図７に示すように、操作部材２６の操作、或いは合鍵の操作によって駆動板２１が下方に位置するときにはカマ１９が外方に振り出され、図２に示すように、カマ１９が外召し合せ錠１の蓋部材３１を外フレーム２内に押込むようにして、ストライク板３２に開口した付番しないストライク孔に投入され、このようにして引戸錠を施錠する。
【００３４】
反対に、駆動板２１が上昇すると、カマ１９が内フレーム１６内に収納される結果、内、外フレームが相互に自由になり、この引戸錠が解錠される。
【００３５】
なお、内召し合せ錠において、図７に符号３３で示したトリガー装置が設けられているが、このトリガー装置３３は本願発明の要旨ではないので、更に詳細な説明は省略する。
【００３６】
外召し合せ錠の説明に戻って、図４に示すように、ラック板５の一端（上端）部における後方の側端縁に上下方向に延在する切欠３４が形成されている。
【００３７】
そして、この切欠３４の近傍に、ストッパー３５を一体に形成したトリガー杆３６（図８及び図１０参照）がストライク板３２に垂直な前後方向（図４及び図１０で左右方向）に移動可能に案内されている。
【００３８】
また、このトリガー杆３６は、図９に示すように、先端部が水平投影山形に成形されると共に、図４に示すように、圧縮コイルばねとしてのトリガーばね３７の弾力により、前方（外方）に付勢されている。
【００３９】
そのため、トリガー杆３６に外力が作用しない常態においては、ストッパー３５が切欠３４に弾接する。
【００４０】
更にまた、トリガー杆３６とラック板５の上下方向における相対位置関係は、シリンダ錠の内筒が合鍵挿入角度位置、すなわち待機角度位置にあるとき、その角度位置に対応する待機位置にあるラック板の切欠３４の上下方向の中央にトリガー杆３６が位置するものとする。
【００４１】
上記のように構成された請求項２に記載された発明による外召し合せ錠は、引戸が閉鎖されて召し合せ框が重合する過程において、室内側の召し合せ框とトリガー杆３６の先端山形部との間に生じる楔作用により、トリガー杆３６は外フレーム２内に押込まれる。
【００４２】
すると、図４及び図９から明らかなように、トリガー杆と一体のストッパー３５が後方に移動し、ラック板の切欠３４から離れるので、ラック板５の上下動が可能になり、すなわち施解錠が可能になる。
【００４３】
一方、引戸が開いているときに合鍵をシリンダ錠の鍵孔に差し入れてこれを回動すると、合鍵の回動に応じてラック板５が上下動するが、このときにはストッパー３５が切欠３４内に係入しているので、ラック板５はストッパーに衝止されて動くことができない。換言すれば、施、解錠アームを振り出すことができず、前記した不都合を防止することができる。
【実施例２】
【００４４】
図１０は請求項３に記載の発明による外召し合せ錠の要部を示し、同図において符号３６はトリガーを示し、このトリガー３６は、第１永久磁石及びストッパー３５を備えたレバー体である。
【００４５】
このこのトリガー３６は、水平な支持軸３９により上端部を揺動可能に支承されており、また、付番しない捩りコイルばねによって時計方向に付勢されている。
【００４６】
また、このトリガー３６に付設されたストッパー３５とラック板の切欠３４との相対位置関係は、前記し、また図４に示す請求項２に記載の外召し合せ錠におけると同様である。
【００４７】
更にまた、図１０に示すように、引戸閉鎖時上記第１永久磁石と整合する内召し合せ錠のフロント板１７の裏面側には、第１永久磁石とは同磁極で対峙する第２永久磁石４１が配設されている。
【００４８】
上記のように構成された請求項３に記載の発明による外召し合せ錠は、引戸閉鎖時には第１及び第２永久磁石３８、４１の間に生じる磁気反発力によりトリガー３６が図１０で反時計方向に回動し、ストッパー３５が切欠３４から離れる結果、施解錠が可能になる。
【００４９】
一方、引戸が開いているときには、ストッパー３５がラック板の切欠３４に係入しているので、施、解錠アーム８、６を振り出すことができないことは図４に示すものと同様である。
【実施例３】
【００５０】
図１０に示すものはトリガーが揺動するものであるが、図示はしないがトリガーが前後方向に移動する形式のトリガー装置も可能である。
【図面の簡単な説明】
【００５１】
【図１】この発明の一実施例による外召し合せ錠の室外側の正面図。
【図２】その縦断側面図。
【図３】外召し合せ錠のシリンダ装着部を示す一部断面正面図。
【図４】請求項２に記載のトリガー装置を示す一部断面側面図。
【図５】アーム駆動機構の側面図。
【図６】内召し合せ錠の室外側の正面図。
【図７】内召し合せ錠の縦断側面図。
【図８】外召し合せ錠の室外側の正面図。
【図９】トリガー杆の平面図。
【図１０】請求項３に記載のトリガー装置を示す一部断面側面図。
【符号の説明】
【００５２】
１  外召し合せ錠
２  外フレーム錠
３  シリンダ錠
４  ピニオン
５  ラック板
６  解錠アーム
７  係合片
８  施錠アーム
９  アーム軸
１１  アーム駆動機構
１２  逃げ溝操作部材
１３  押し下げ段部
１４  押上げ段部
１５  係合ピン
１７  フロント板
３２  ストライク板
３３  トリガー装置
３４  切欠
３５  ストッパー
３６  トリガー杆
３７  第１永久磁石
３８  支持軸
３９  第２永久磁石
【図１】
2007239204.tif 000003
【図２】
2007239204.tif 000004
【図３】
2007239204.tif 000005
【図４】
2007239204.tif 000006
【図５】
2007239204.tif 000007
【図６】
2007239204.tif 000008
【図７】
2007239204.tif 000009
【図８】
2007239204.tif 000010
【図９】
2007239204.tif 000011
【図１０】
2007239204.tif 000012